(57)【要約】  受信装置（２００）宛のデータを無線送信する送信装置（１００）が、前記受信装置（２００）宛のデータに基づいて、データブロックの生成を行ない、生成された該データブロックを、適用する符号化方式及び変調方式に従って、該データブロック単位で符号化及び変調して送信データを生成し、該送信データを所定の無線リソースを用いて前記送信装置（２００）から前記受信装置（１００）に送信し、前記データブロックの生成は、前記符号化及び変調がなされた後のデータブロックのデータ量が、前記符号化方式及び変調方式の適用により前記所定の無線リソースを用いて送信可能な最大のデータ量以下となるように、前記受信装置（１００）宛のデータを分割して、データブロック１つ当たりのサイズを調整する。
2010116453.tif 000002
【特許請求の範囲】
【請求項１】
受信装置宛のデータを無線送信する送信装置における制御方法において、
前記受信装置宛のデータに基づいて、データブロックの生成を行ない、
生成された該データブロックを、適用する符号化方式及び変調方式に従って、該データブロック単位で符号化及び変調して送信データを生成し、
該送信データを所定の無線リソースを用いて前記送信装置から前記受信装置に送信することを含み、
前記データブロックの生成は、前記符号化及び変調がなされた後のデータブロックのデータ量が、前記符号化方式及び変調方式の適用により前記所定の無線リソースを用いて送信可能な最大のデータ量以下となるように、前記受信装置宛のデータを分割して、データブロック１つ当たりのサイズを調整することを含む、
ことを特徴とする、送信装置における制御方法。
【請求項２】
前記符号化及び変調がなされた後のデータブロックのデータ量は、少なくとも前記符号化の符号化率または前記変調の変調方式に応じて定まる、
ことを特徴とする、請求項１記載の送信装置における制御方法。
【請求項３】
少なくとも前記符号化率または前記変調方式は、前記送信装置と前記受信装置との間の伝播路の通信品質に応じて定まる、
ことを特徴とする、請求項２記載の送信装置における制御方法。
【請求項４】
前記無線リソースは周波数帯域からなる、
ことを特徴とする、請求項１〜３のいずれか１項に記載の送信装置における制御方法。
【請求項５】
前記所定の無線リソースを用いて送信可能な最大のデータ量は、前記送信装置と前記受信装置との間の伝播路の遅延分散値に応じて定まる、
ことを特徴とする、請求項４記載の送信装置における制御方法。
【請求項６】
前記無線リソースは時間長からなる、
ことを特徴とする、請求項１〜３のいずれか１項に記載の送信装置における制御方法。
【請求項７】
前記所定の無線リソースを用いて送信可能な最大のデータ量は、前記送信装置と前記受信装置との間の伝播路のドップラー周波数に応じて定まる、
ことを特徴とする、請求項６記載の送信装置における制御方法。
【請求項８】
前記無線リソースは周波数帯域と時間長との積からなる、
ことを特徴とする、請求項１〜３のいずれか１項に記載の送信装置における制御方法。
【請求項９】
前記所定の無線リソースを用いて送信可能な最大のデータ量は、前記送信装置と前記受信装置との間の伝播路の遅延分散値とドップラー周波数との積に応じて定まる、
ことを特徴とする、請求項８記載の送信装置における制御方法。
【請求項１０】
前記無線リソースは、前記データに割り当てられる拡散符号の数、または、前記データの送信電力からなる、
ことを特徴とする、請求項１〜３のいずれか１項に記載の送信装置における制御方法。
【請求項１１】
前記送信装置は、
前記データブロックを前記受信装置宛のデータの再送単位として、該送信データを前記受信装置に再送する、
ことを特徴とする、請求項１〜１０のいずれか１項に記載の送信装置における制御方法。
【請求項１２】
前記送信装置は、
前記データブロックをさらに複数のサブブロックに分割し、
前記サブブロックを前記受信装置宛のデータの再送単位として、該送信データを前記受信装置に再送する、
ことを特徴とする、請求項１〜１０のいずれか１項に記載の送信装置における制御方法。
【請求項１３】
前記データブロックのうち少なくとも１つは、他のデータブロックのうちの少なくとも１つと異なる符号化率または変調方式で符号化または変調される、
ことを特徴とする、請求項１〜１２のいずれか１項に記載の送信装置における制御方法。
【請求項１４】
前記所定の無線リソースを用いて送信可能な最大のデータ量は、前記データの分割数が所定の閾値以下となるようなサイズである、
ことを特徴とする、請求項１記載の送信装置における制御方法。
【請求項１５】
受信装置宛のデータを無線送信する送信装置であって、
前記受信装置宛のデータに基づいて、データブロックの生成を行なうデータブロック生成部と、
前記データブロック生成部により生成された該データブロックを、適用する符号化方式及び変調方式に従って、該データブロック単位で符号化及び変調して送信データを生成する送信データ生成部と、
該送信データ生成部により生成された該送信データを所定の無線リソースを用いて前記送信装置から前記受信装置に送信する送信部とをそなえ、
前記データブロック生成部は、前記符号化及び変調がなされた後のデータブロックのデータ量が、前記符号化方式及び変調方式の適用により前記所定の無線リソースを用いて送信可能な最大のデータ量以下となるように、前記受信装置宛のデータを分割して、データブロック１つ当たりのサイズを調整する、
ことを特徴とする、送信装置。
【請求項１６】
前記送信部は、
前記データブロックを前記受信装置宛のデータの再送単位として、該送信データを前記受信装置に再送する、
ことを特徴とする、請求項１５記載の送信装置。
【請求項１７】
送信装置からのデータを無線受信する受信装置であって、
符号化及び変調がなされた後のデータブロックのデータ量が、前記符号化及び変調の符号化方式及び変調方式の適用により所定の無線リソースを用いて送信可能な最大のデータ量以下となるように、前記データを分割することにより、データブロック１つ当たりのサイズを調整して前記データを送信する送信装置から前記データを受信する受信部と、
前記データが正常に受信されたかどうかを前記分割されたデータ毎に判定する判定部と、
前記判定部での判定結果に応じて、前記分割されたデータ毎に前記送信装置に再送要求する再送制御部と、
をそなえたことを特徴とする、受信装置。
【請求項１８】
受信装置と、前記受信装置宛のデータを無線送信する送信装置とを有する通信システムであって、
前記受信装置宛のデータに基づいて、データブロックの生成を行なうデータブロック生成部と、
前記データブロック生成部により生成された該データブロックを、適用する符号化方式及び変調方式に従って、該データブロック単位で符号化及び変調して送信データを生成する送信データ生成部と、
該送信データ生成部により生成された該送信データを所定の無線リソースを用いて前記送信装置から前記受信装置に送信する送信部とをそなえ、
前記データブロック生成部は、前記符号化及び変調がなされた後のデータブロックのデータ量が、前記符号化方式及び変調方式の適用により前記所定の無線リソースを用いて送信可能な最大のデータ量以下となるように、前記受信装置宛のデータを分割して、データブロック１つ当たりのサイズを調整する、
ことを特徴とする、通信システム。
【発明の詳細な説明】
【技術分野】
【０００１】
本発明は、送信装置における制御方法、送信装置、受信装置及び通信システムに関する。前記通信システムとしては、例えば、基地局とユーザ装置との間で無線通信を行なう無線通信システムが含まれる。
【背景技術】
【０００２】
ＬＴＥは、第３世代（３Ｇ）移動体通信から第４世代（４Ｇ）移動体通信への移行を段階的に進めるために標準化が推進されている高速移動体通信の規格である。
ＬＴＥ方式の無線通信システムでは、例えば、基地局〔Base Station（ＢＳ）〕が、データ送信用の無線リソースを用いて、ユーザ装置〔User Equipment（ＵＥ）〕へデータを送信する。このとき、ＢＳは、無線リソースを効率的に利用すべく、時間スケジューリングまたは周波数スケジューリングあるいはそれらの双方を用いて、無線リソースをＵＥに割り当てることができる。【０００３】
ここで、時間スケジューリングとは、例えば、無線リソースを所定の時間単位〔サブフレーム（Sub-frame）〕毎に管理し、各サブフレームをデータ送信用の無線リソースとして用いるスケジューリング方式をいう。また、周波数スケジューリングとは、例えば、無線リソースを所定の周波数単位〔サブバンド（Sub-band）〕毎に管理し、各サブバンドをデータ送信用の無線リソースとして用いるスケジューリング方式をいう。【０００４】
上記時間スケジューリング（あるいは周波数スケジューリング）を用いることにより、上記無線通信システムは、ＵＥから報告される下りパイロットチャネルのサブフレーム（あるいはサブバンド）毎の受信信号品質又はチャネル状態情報（Channel Quality Indicator、ＣＱＩ）に応じて、チャネル状態の良好なＵＥに優先的に無線リソースを割り当てることができ、システム全体の伝送効率又はスループットを向上させることが可能となる。【０００５】
また、上記無線通信システムでは、例えば、ＵＥからＢＳ方向への上りリンク（ＵＬ）またはその逆方向の下りリンク（ＤＬ）において、少なくとも１つのチャネル（ＣＨ）を複数のＵＥで共有して通信を行なうことがある。複数のＵＥで共有される前記チャネルは、共有ＣＨと呼ばれ、ＬＴＥでは、例えば、ＤＬにおける共有ＣＨとしてPhysical Downlink Shared Channel（ＰＤＳＣＨ）が規定されている。【０００６】
ＢＳが上記共有ＣＨでＤＬデータを送信する場合、ＢＳは、無線リソースを構成するサブバンド及びサブフレーム毎のリソース割り当てに関する情報（例えば、ＤＬマップ等）を、ＵＥへ通知（シグナリング）する。シグナリングには、例えば、制御チャネル（制御ＣＨ）が用いられ、ＬＴＥでは、前記制御ＣＨとして、Physical Downlink Control Channel（ＰＤＣＣＨ）が規定されている。なお、前述のサブバンドはリソースブロック〔Resource Block（ＲＢ）〕と呼ばれることがある。【０００７】
上述の無線通信システムにおいてＢＳがＵＥにＤＬデータを送信する場合、まず、ＢＳは、ＲＬＣ（Radio Link Control）機能により、ＵＥ宛のＤＬデータを所定のＴＢ（Transport Block）単位で切り出す（セグメント化する）。
そして、ＢＳは、ＭＡＣ（Media Access Controller）スケジューラにより、ＴＢに割り当てる無線リソースを決定し、当該無線リソースを用いてＤＬデータをＵＥに無線送信する。なお、ＬＴＥでは、ＭＩＭＯ（Multiple Input Multiple Output）技術を適用しない場合には、１サブフレームにつき１つのＴＢがＵＥに送信される。【０００８】
ここで、図１に周波数軸方向と時間軸方向とに延在する無線リソースの一例を示す。この図１に示す１サブフレーム（例えば、時間幅＝１ｍｓ）の無線リソースには、例示的に、ＰＤＣＣＨとＰＤＳＣＨとが割り当てられ、ＰＤＣＣＨには制御ＣＨｉ，ｊ，ｋが、また、ＰＤＳＣＨにはデータチャネル（データＣＨ）ｉ，ｊ，ｋがそれぞれ割り当てられている。【０００９】
図１に例示する無線リソースによりデータを送信する場合、ＢＳは、例えば、各ＵＥ宛のＤＬデータをデータＣＨｉ，ｊ，ｋを介して送信する。また、当該無線リソースやＤＬデータの伝送フォーマットなどに関する制御情報（ＤＬスケジューリング情報）や上記ＤＬマップなどを制御ＣＨｉ，ｊ，ｋを介して各ＵＥに送信する。
ＵＥは、ＢＳから上記無線信号を受信すると、制御ＣＨｉ，ｊ，ｋを復調、復号し、自局宛の制御情報があるかどうかを検出する。自局宛の制御情報を検出した場合、ＵＥは、制御情報に含まれる無線リソース割り当てや伝送フォーマットに関する情報などの制御情報を抽出する。そして、ＵＥは、当該制御情報などに基づき、受信したデータＣＨｉ，ｊ，ｋの中から自局宛のＤＬデータを抽出して復調、復号処理を施す。【００１０】
また、ＵＥは、例えば、ＢＳから自局宛に送信されたＤＬデータ（図２の符号ａ参照）について誤り検出を行なう。ＢＳから受信したＤＬデータに誤りがない（つまり、ＤＬデータを正常に受信した）場合、ＵＥは、ＢＳに対してＡＣＫ（ACKnowledgment）信号を送信する（図２の符号ｂ参照）。そして、ＢＳは、ＡＣＫ信号を受信すると、当該ＡＣＫ信号に対応するＤＬデータの次のＤＬデータをＵＥに新規送信する（図２の符号ｃ参照）。【００１１】
一方、ＵＥは、ＢＳから自局宛に送信されたＤＬデータに誤りを検出した場合、ＢＳに対してＮＡＣＫ（Negative ACKnowledgment）信号を送信する（図２の符号ｄ参照）。そして、ＢＳは、ＵＥからＮＡＣＫ信号を受信すると、当該ＮＡＣＫ信号に対応する送信済みのＤＬデータをＵＥに再送する（図２の符号ｅ参照）。
ＵＥは、ＢＳから自局宛に送信された再送データについて誤り検出を行ない、誤りが検出されない場合、ＢＳに対してＡＣＫ（ACKnowledgment）信号を送信する（図２の符号ｆ参照）。そして、ＢＳは、ＵＥからＡＣＫ信号を受信すると、当該ＡＣＫ信号に対応するＤＬデータの次のＤＬデータ（図２の符号ｇ参照）をＵＥに新規送信する。【００１２】
また、ＵＥは、受信したＤＬデータの受信品質（例えば、伝播路品質）を測定し、チャネル品質情報（例えば、ＣＱＩ等）をＢＳにフィードバックすることができる（図２の符号ｂ，ｄ，ｆ参照）。
ＢＳは、ＵＥからチャネル品質情報を受信すると、当該チャネル品質情報に基づき、ＤＬデータの符号化率や変調方式などを適応的に変更する制御を行なうことがある。例えば、ＢＳは、チャネル品質情報のレベルが高いほど、より大きな符号化率、また、より高速な変調方式を用いてＤＬデータを符号化及び変調してＵＥに送信する。この制御方式は、適応変調符号化（ＡＭＣ：Adaptive Modulation and Coding）方式と呼ばれる。【００１３】
上記ＡＭＣ方式を用いる無線通信システムでは、伝播路品質のレベルが低いほど、データの誤り耐性を向上させるべく、より小さな符号化率、また、より低速な変調方式が適用される。一方、伝播路品質のレベルが高いほど、より大きな符号化率、また、より高速な変調方式が適用される。
例えば、図３（Ａ）に例示するように、伝播路品質のレベルが所定の閾値よりも低い場合、ＤＬデータ〔ＲＬＣ Service Data Unit（ＳＤＵ）〕は、ＴＢ毎に、Ｒ＝１／９の符号化率で符号化されるとともにQuadrature Phase Shift Keying（ＱＰＳＫ）方式で変調されて、無線リソースに割り当てられる（マッピングされる）。【００１４】
一方、図３（Ｂ）に例示するように、伝播路品質のレベルが所定の閾値以上である場合、ＤＬデータは、ＴＢ毎に、Ｒ＝３／４の符号化率で符号化されるとともに16 Quadrature Amplitude Modulation（１６ＱＡＭ）方式で変調されて、無線リソースにマッピングされる。なお、符号化率Ｒ＝１／９で符号化を行なった場合、符号化前のデータ長は、符号化後に９倍となり、符号化率Ｒ＝３／４で符号化を行なった場合、符号化前のデータ長は、符号化後に４／３倍となる。また、ＱＰＳＫで変調を行なった場合、１シンボルにつき２ビット（４値）のデータを送信可能である一方、１６ＱＡＭで変調を行なった場合、１シンボルにつき４ビット（１６値）のデータを送信可能である。【００１５】
従って、伝播路品質の異なる状況下では、同サイズのＴＢに割り当てられる無線リソースのサイズ（送信データ量）は、伝播路品質のレベルが高いほど小さく、伝播路品質のレベルが低いほど大きくなる。
ところで、上述した再送制御〔例えば、Hybrid Automatic Repeat reQuest（ＨＡＲＱ）〕において、ＢＳは、例えば、ＴＢを再送単位としてＤＬデータの再送を行なう。ＴＢのサイズは、ＤＬデータ（ＲＬＣ  ＳＤＵ）のサイズなどに基づいて、ＲＬＣ機能により決定される。【００１６】
このため、ＢＳがＤＬデータを再送する場合、伝播路品質のレベルが低いほど、送信データ量が大きくなり、より多くの無線リソースが再送時に割り当てられることとなる。その結果、再送制御に伴い、他のデータ送信用の無線リソースが制限されるので、ユーザあたりのスループットやシステム全体のスループットが低下する。
なお、データ再送単位に割り当てられる無線リソースのサイズを抑制すべく、ＲＬＣ  ＳＤＵのサイズが所定の上限値を超える場合に、データを複数のＴＢに分割して無線リソースに割り当てる方法がある。【００１７】
この方法によれば、図４（Ａ）に例示するように、ＤＬデータは、ＲＬＣ  ＳＤＵのサイズに応じて複数のＴＢに分割される。そして、伝播路品質のレベルが所定の閾値よりも低い場合、ＤＬデータは、分割後のＴＢ毎に、例えば、Ｒ＝１／９の符号化率で符号化されるとともにＱＰＳＫ方式で変調されて、無線リソースにマッピングされる。
一方、図４（Ｂ）に例示するように、伝播路品質のレベルが所定の閾値以上である場合も、ＤＬデータは、ＲＬＣ  ＳＤＵのサイズに応じて複数のＴＢに分割される。そして、ＤＬデータは、分割後のＴＢ毎に、例えば、Ｒ＝３／４の符号化率で符号化されるとともに１６ＱＡＭ方式で変調されて、無線リソースにマッピングされる。【００１８】
なお、ＬＴＥに関する技術については、下記の非特許文献１〜３に記載されている。
【非特許文献１】3GPP TS 36.211 v8.3.0、[online]、２００８年５月、3rd Generation Partnership Project、［平成２０年１０月１７日検索］
【非特許文献２】3GPP TS 36.212 v8.3.0、[online]、２００８年５月、3rd Generation Partnership Project、［平成２０年１０月１７日検索］
【非特許文献３】3GPP TS 36.213 v8.3.0、[online]、２００８年５月、3rd Generation Partnership Project、［平成２０年１０月１７日検索］
【発明の開示】
【発明が解決しようとする課題】
【００１９】
しかしながら、上述した方法では、ＲＬＣ  ＳＤＵのサイズに応じて、ＤＬデータが複数のＴＢに分割されるだけであるため、データ分割を柔軟に制御することはできない。
その結果、分割処理に伴うオーバヘッドの増大及び再送制御プロセス数の増加により、無線通信システムのデータ処理量が増大する場合がある。また、ＡＣＫ／ＮＡＣＫ伝送のための制御情報量が増加する場合がある。なお、かかる現象は、ＬＴＥ方式の無線通信システムに限らず、無線により通信を行なう他の無線通信システムにおいても生じ得る。【００２０】
そこで、無線通信システムにおけるデータ処理効率を向上させることを目的の１つとする。
【課題を解決するための手段】
【００２１】
（１）第１の案では、受信装置宛のデータを無線送信する送信装置における制御方法において、前記受信装置宛のデータに基づいて、データブロックの生成を行ない、生成された該データブロックを、適用する符号化方式及び変調方式に従って、該データブロック単位で符号化及び変調して送信データを生成し、該送信データを所定の無線リソースを用いて前記送信装置から前記受信装置に送信することを含み、前記データブロックの生成は、前記符号化及び変調がなされた後のデータブロックのデータ量が、前記符号化方式及び変調方式の適用により前記所定の無線リソースを用いて送信可能な最大のデータ量以下となるように、前記受信装置宛のデータを分割して、データブロック１つ当たりのサイズを調整することを含む、送信装置における制御方法を用いる。【００２２】
（２）第２の案では、受信装置宛のデータを無線送信する送信装置であって、前記受信装置宛のデータに基づいて、データブロックの生成を行なうデータブロック生成部と、前記データブロック生成部により生成された該データブロックを、適用する符号化方式及び変調方式に従って、該データブロック単位で符号化及び変調して送信データを生成する送信データ生成部と、該送信データ生成部により生成された該送信データを所定の無線リソースを用いて前記送信装置から前記受信装置に送信する送信部とをそなえ、前記データブロック生成部は、前記符号化及び変調がなされた後のデータブロックのデータ量が、前記符号化方式及び変調方式の適用により前記所定の無線リソースを用いて送信可能な最大のデータ量以下となるように、前記受信装置宛のデータを分割して、データブロック１つ当たりのサイズを調整する、送信装置を用いる。【００２３】
（３）第３の案では、送信装置からのデータを無線受信する受信装置であって、符号化及び変調がなされた後のデータブロックのデータ量が、前記符号化及び変調の符号化方式及び変調方式の適用により所定の無線リソースを用いて送信可能な最大のデータ量以下となるように、前記データを分割することにより、データブロック１つ当たりのサイズを調整して前記データを送信する送信装置から前記データを受信する受信部と、前記データが正常に受信されたかどうかを前記分割されたデータ毎に判定する判定部と、前記判定部での判定結果に応じて、前記分割されたデータ毎に前記送信装置に再送要求する再送制御部と、をそなえた受信装置を用いる。【００２４】
（４）第４の案では、受信装置と、前記受信装置宛のデータを無線送信する送信装置とを有する通信システムであって、前記受信装置宛のデータに基づいて、データブロックの生成を行なうデータブロック生成部と、前記データブロック生成部により生成された該データブロックを、適用する符号化方式及び変調方式に従って、該データブロック単位で符号化及び変調して送信データを生成する送信データ生成部と、該送信データ生成部により生成された該送信データを所定の無線リソースを用いて前記送信装置から前記受信装置に送信する送信部とをそなえ、前記データブロック生成部は、前記符号化及び変調がなされた後のデータブロックのデータ量が、前記符号化方式及び変調方式の適用により前記所定の無線リソースを用いて送信可能な最大のデータ量以下となるように、前記受信装置宛のデータを分割して、データブロック１つ当たりのサイズを調整する、通信システムを用いる。
【発明の効果】
【００２５】
無線通信システムの処理効率を向上させることが可能となる。
【図面の簡単な説明】
【００２６】
【図１】周波数軸方向と時間軸方向とに延在する無線リソースの一例を示す図である。
【図２】無線基地局とユーザ装置とのデータ通信制御の一例を示す図である。
【図３】（Ａ）及び（Ｂ）はＤＬデータの無線リソースへの割り当ての一例を示す図である。
【図４】（Ａ）及び（Ｂ）はＤＬデータの無線リソースへの割り当ての一例を示す図である。
【図５】一実施形態に係る無線通信システムの構成例を示す図である。
【図６】図５に示すＢＳの構成例を示すブロック図である。
【図７】図５に示すＵＥの構成例を示すブロック図である。
【図８】（Ａ）及び（Ｂ）は一実施形態に係る制御方法の一例を示す図である。
【図９】図５に示すＵＥの動作例を示すフローチャートである。
【図１０】一実施形態に係る制御方法の一例を示す図である。
【図１１】図５に示すＢＳの動作例を示すフローチャートである。
【図１２】一実施形態に係る制御方法の一例を示す図である。
【図１３】図５に示すＢＳの動作例を示すフローチャートである。
【図１４】一実施形態に係る制御方法の一例を示す図である。
【図１５】図５に示すＢＳの動作例を示すフローチャートである。
【図１６】一実施形態に係る制御方法の一例を示す図である。
【図１７】図５に示すＢＳの動作例を示すフローチャートである。
【符号の説明】
【００２７】
１００  無線基地局（ＢＳ）
１１１−１〜１１１−Ｍ  データ生成部
１１２−１〜１１２−Ｍ  ＴＢ分割部
１１３  スケジューラ
１１４−１〜１１４−Ｍ  ＣＲＣ付加部
１１５−１〜１１５−Ｍ  符号化部
１１６−１〜１１６−Ｍ  レートマッチング部
１１７−１〜１１７−Ｍ  シンボルマッピング部
１１８  ＴＢ多重部
１１９  多重部
１２０  リソースマッピング部
１２１  ＩＦＦＴ部
１２２  ＣＰ挿入部
１２３  無線送信部
１２４  無線受信部
１２５  ＣＰ削除部
１２６  ＦＦＴ部
１２７  等化処理部
１２８  ＩＦＦＴ部
１２９  ドップラー周波数／遅延分散測定部
１３０  復調部
１３１  復号部
１３２  制御部
１３３  ＴＢ分割制御部
１３４  送受信アンテナ
２００  ユーザ装置（ＵＥ）
２０１  無線受信部
２０２  ＣＰ削除部
２０３  ＦＦＴ部
２０４−１〜２０４−ｎ  ＴＢ復調部
２０５−１〜２０５−ｎ  ＴＢ復号部
２０６  制御ＣＨ復調部
２０７  制御部
２０８  データ処理部
２０９  制御情報多重部
２１０  シンボルマッピング部
２１１  多重部
２１２  ＦＦＴ部
２１３  周波数マッピング部
２１４  ＩＦＦＴ部
２１５  ＣＰ挿入部
２１６  無線送信部
２１７  ＣＱＩ測定部
２１８  送受信アンテナ
【発明を実施するための最良の形態】
【００２８】
以下、図面を参照して実施の形態を説明する。ただし、以下に示す実施形態及び各変形例は、あくまでも例示に過ぎず、以下に示す実施形態で明示しない種々の変形や技術の適用を排除する意図はない。即ち、本実施形態は、その趣旨を逸脱しない範囲で種々変形（各実施形態及び各変形例を組み合わせる等）して実施することができる。
〔１〕一実施形態
図５は、一実施形態に係る無線通信システムの構成の一例を示す図である。この図５に示す無線通信システムは、例示的に、無線基地局（ＢＳ）１００と、ユーザ装置（ＵＥ）２００とをそなえる。【００２９】
ここで、ＢＳ１００は、ＵＥ２００と無線通信を行なうことができる。例えば、ＢＳ１００は、ＤＬデータをＵＥ２００に送信する一方、ＵＬデータをＵＥ２００から受信する。なお、ＢＳ１００及びＵＥ２００の数は、図５に示す例に限定されない。
（１．１）ＢＳ１００
次に、図６にＢＳ１００の構成の一例を示す。【００３０】
この図６に示すように、ＢＳ１００は、例示的に、データ生成部１１１−１〜１１１−Ｍ（Ｍは自然数）と、ＴＢ分割部１１２−１〜１１２−Ｍと、スケジューラ１１３と、ＣＲＣ付加部１１４−１〜１１４−Ｍと、符号化部１１５−１〜１１５−Ｍとをそなえる。また、ＢＳ１００は、例示的に、レートマッチング部１１６−１〜１１６−Ｍと、シンボルマッピング部１１７−１〜１１７−Ｍと、ＴＢ多重部１１８と、多重部１１９と、リソースマッピング部１２０と、ＩＦＦＴ部１２１と、ＣＰ挿入部１２２と、無線送信部１２３とをそなえる。さらに、ＢＳ１００は、例示的に、無線受信部１２４と、ＣＰ削除部１２５と、ＦＦＴ部１２６と、等化処理部１２７と、ＩＦＦＴ部１２８と、ドップラー周波数／遅延分散測定部１２９と、復調部１３０と、復号部１３１と、制御部１３２と、ＴＢ分割制御部１３３と、送受信アンテナ１３４とをそなえる。【００３１】
ここで、送受信アンテナ１３４は、ＵＥ２００との間でデータを送受信するインタフェースである。送受信アンテナ１３４は、無線送信部１２３から入力される信号をＵＥ２００に送信したり、ＵＥ２００から受信した無線信号を無線受信部１２４に出力する。
無線受信部１２４は、送受信アンテナ１３４により受信されたＵＬの信号をベースバンド信号に変換し、ＣＰ削除部１２５に出力する。【００３２】
ＣＰ削除部１２５は、無線受信部１２４により変換されたベースバンド信号に含まれるCyclic Prefix（ＣＰ）を所定のタイミングで削除し、ＣＰ削除後の信号をＦＦＴ部１２６に出力する。
ＦＦＴ部１２６は、高速フーリエ変換により、ＣＰ削除部１２５から入力されたＣＰ削除後の信号を周波数領域の信号に変換して、等化処理部１２７に出力する。【００３３】
等化処理部１２７は、ＦＦＴ部１２６からの出力信号を等化処理する。また、本例の等化処理部１２７は、チャネル推定部（図示省略）により推定されたチャネル推定値を用いて、チャネル毎に分配された後の信号に対して、チャネル補償による受信処理（伝送により発生した位相の回転を元の送信状態に戻すなどの処理）を行ない、ＩＦＦＴ部１２８に出力する。【００３４】
ＩＦＦＴ部１２８は、等化処理部１２７から入力される周波数領域の信号を時間領域の信号へ変換し、復調部１３０及びドップラー周波数／遅延分散測定部１２９にそれぞれ出力する。
ドップラー周波数／遅延分散測定部１２９は、ＵＥ２００から受信したＵＬの信号についての遅延量（例えば、ドップラー周波数や遅延分散など）を測定し、その測定結果をＴＢ分割制御部１３３に出力する。【００３５】
復調部１３０は、ＩＦＦＴ部１２８からの出力信号について、制御ＣＨ及びデータＣＨのそれぞれを復調する。復調部１３０により復調された信号は、復号部１３１に出力される。
復号部１３１は、復調部１３０により復調された信号を復号し、制御部１３２に出力する。復号後の信号には、例えば、ＵＥ２００からの応答信号（例えば、ＡＣＫ／ＮＡＣＫ信号等）や、チャネル品質情報（例えば、ＣＱＩ等）が含まれる。【００３６】
制御部１３２は、ＵＥからのチャネル品質情報に基づき、ＤＬデータの符号化率または変調方式あるいはその双方を適応的に制御する。例えば、制御部１３２は、ＣＱＩの値と符号化率及び変調方式とを対応付けた所定のテーブルを有し、このテーブルに基づき、符号化率及び変調方式〔Modulation and Coding Scheme（ＭＣＳ）〕を決定する。制御部１３２により決定されたＭＣＳは、制御情報としてＴＢ分割制御部１３３などに出力される。【００３７】
また、制御部１３２は、ＴＢ分割制御部１３３から入力される分割情報に基づき、ＵＥ２００宛の報知情報や個別制御情報などを生成し、多重部１１９に出力する。分割情報はＴＢ分割制御部１３３での分割処理に関する制御情報であり、例えば、ＴＢ分割制御部１３３により決定されたＴＢ数（分割数），各ＴＢの割り当てリソース情報，各ＴＢのＭＣＳ及び各ＴＢのＨＡＲＱプロセス番号などを含む。また、報知情報は、複数のＵＥ２００に送信される情報であり、個別制御情報は、各ＵＥ２００に送信される制御情報である。この個別制御情報には、例えば、ＤＬデータの伝送フォーマットや、ＤＬマップ情報などが含まれる。【００３８】
さらに、制御部１３２は、ＵＥからのＡＣＫ／ＮＡＣＫ信号に応じて、データの再送制御を行なうことができる。例えば、ＢＳ１００は、あるＨＡＲＱプロセス番号のＤＬデータに対してＮＡＣＫ信号を受信した場合、制御部１３２の制御により、当該ＨＡＲＱプロセス番号のＤＬデータをＵＥ２００に再送することができる。このとき、制御部１３２は、例えば、ＴＢを再送単位としてＤＬデータの再送制御を行なう。一方、ＢＳ１００は、あるＨＡＲＱプロセス番号のＤＬデータに対してＡＣＫ信号を受信した場合、制御部１３２の制御により、当該ＨＡＲＱプロセス番号のＤＬデータの次のＤＬデータをＵＥ２００に新規送信することができる。【００３９】
ＴＢ分割制御部１３３は、上記制御情報または上記遅延量（ドップラー周波数や遅延分散など）の測定結果あるいはその双方に基づいて、所定の無線リソースを用いて送信可能な最大のデータ量（上限サイズ）を決定し、当該上限サイズに基づき、ＴＢ分割部１１２−１〜１１２−Ｍにおけるデータ分割を制御する。例えば、ＴＢ分割制御部１３３は、ＴＢ分割部１１２−１〜１１２−Ｍにより分割された後のデータ（ＴＢ）が符号化及び変調された後のデータ量が前述の上限サイズ以下となるように、ＴＢ分割部１１２−１〜１１２−Ｍでの分割処理を制御する。前記分割後のＴＢに割り当てられる無線リソースのサイズは、例えば、分割後のＴＢについて符号化処理及び変調処理などの所定の処理を施した後のデータ量に応じたサイズであってもよい。【００４０】
なお、ＴＢ分割制御部１３３は、前述の上限サイズを、データの分割数（ＴＢ数）が所定の閾値以下となるようなサイズとすることもできる。これにより、ＴＢの数が大きくなりすぎることを防止することができ、オーバヘッド処理の増加を抑制することが可能となる。
データ生成部１１１−１〜１１１−Ｍは、ＵＥ２００（＃１〜＃Ｍ）宛のＤＬデータ（例えば、ＲＬＣ  ＳＤＵ等）をそれぞれ生成し、ＴＢ分割部１１２−１〜１１２−Ｍに出力する。【００４１】
ＴＢ分割部（データブロック生成部）１１２−１〜１１２−Ｍは、データ生成部１１１−１〜１１１−Ｍにより生成されたＵＥ２００宛のデータに基づいて、データブロック（例えば、ＴＢ）の生成を行なう。また、ＴＢ分割部１１２−１〜１１２−Ｍは、ＴＢ分割制御部１３３からの制御に基づいて、ＤＬデータを複数〔例えば、ｎ個（ｎは自然数）〕のＴＢに分割する。【００４２】
例えば、ＴＢ分割部１１２−１〜１１２−Ｍは、符号化及び変調がなされた後のデータブロックのデータ量が、前述の上限サイズ以下となるように、ＵＥ２００宛のデータを分割して、データブロック１つ当たりのサイズを調整する。
また、ＴＢ分割部１１２−１〜１１２−Ｍは、例えば、ＴＢをさらに複数のサブブロックに分割することもできる。この場合、制御部１３２は、当該分割されたサブブロックを再送単位としてＵＥ２００にＤＬデータを再送するようにしてもよい。これにより、データ再送単位を更に小さくすることができ、データ再送時に使用する無線リソースの消費量を更に低減することが可能となる。【００４３】
スケジューラ１１３は、ＴＢ分割部１１２−１〜１１２−Ｍにより生成されたＴＢの送信処理をＵＥ２００へのＤＬ信号に関するスケジューリング情報（例えば、変調方式、符号化率などを含む）に基づいてスケジューリング（制御）する。例えば、スケジューラ１１３は、ＵＥ２００から報告（フィードバック）されたＣＱＩ情報等のＤＬの受信品質情報を基に、ＤＬの受信品質が良いほど、より大きな符号化率で、また、より高速の変調方式で、各ＴＢを符号化及び変調してＵＥ２００に送信することができる。【００４４】
ＣＲＣ付加部１１４−１〜１１４−Ｍは、スケジューラ１１３から出力される各ＵＥ２００（＃１〜＃Ｍ）宛の上記ｎ個のＴＢに、誤り検出情報（例えば、ＣＲＣ等）をそれぞれ付加して符号化部１１５−１〜１１５−Ｍに出力する。
符号化部１１５−１〜１１５−Ｍは、制御部１３２により決定された符号化率に基づき、ＣＲＣ付加部１１４−１〜１１４−ＭによりＣＲＣを付加されたデータについて上記ＴＢ単位で誤り訂正符号化処理を施し、レートマッチング部１１６−１〜１１６−Ｍに出力する。ここで、誤り訂正符号化処理には、例えば、畳込み符号化やターボ符号化などを用いることができる。符号化部１１５−１〜１１５−Ｍにより符号化がなされた後のデータブロックのデータ量は、前記符号化の符号化率に応じて定まる。例えば、符号化率が大きいほど、符号化部１１５−１〜１１５−Ｍにより符号化がなされた後のデータブロックのデータ量は小さくなる。一方、符号化率が小さいほど、符号化部１１５−１〜１１５−Ｍにより符号化がなされた後のデータブロックのデータ量は大きくなる。【００４５】
また、符号化部１１５−１〜１１５−Ｍは、ＴＢ分割部１１２−１〜１１２−Ｍにより分割された複数のＴＢの全てに対して同じ符号化率で符号化処理を施してよいし、一部のＴＢについて他とは異なる符号化率で符号化処理を施すようにしてもよい。即ち、ＴＢ分割部１１２−１〜１１２−Ｍが分割したＴＢのうち少なくとも１つは、符号化部１１５−１〜１１５−Ｍにより、他のＴＢのうちの少なくとも１つと異なる符号化率で符号化処理が施されるようにしてもよい。これにより、他よりも大きな符号化率で符号化された一部のＴＢについて、更に無線リソース使用量を低減することが可能なる。【００４６】
レートマッチング部１１６−１〜１１６−Ｍは、符号化部１１５−１〜１１５−Ｍからの出力信号に含まれる符号化ビットをレートマッチング（Rate Matching）してシンボルマッピング部１１７−１〜１１７−Ｍに出力する。例えば、レートマッチング部１１６−１〜１１６−Ｍは、出力ビット数が無線網を通じて伝送可能なビット数と一致するように、符号化ビットに対して反復（Repetition）処理や、パンクチュアリング（Puncturing）処理を施す。レートマッチング部１１６−１〜１１６−Ｍによりレートマッチング処理を施された信号は、シンボルマッピング部１１７−１〜１１７−Ｍに出力される。【００４７】
シンボルマッピング部１１７−１〜１１７−Ｍは、符号化部１１５−１〜１１５−Ｍにより符号化された信号を、制御部１３２が決定した変調方式（例えば、ＱＰＳＫや１６ＱＡＭ等）でシンボルマッピング（変調）する。シンボルマッピング部１１７−１〜１１７−Ｍにより変調がなされた後のデータブロックのデータ量は、前記変調の変調方式に応じて定まる。例えば、変調方式が高速であるほど、シンボルマッピング部１１７−１〜１１７−Ｍにより変調がなされた後のデータブロックのデータ量は小さくなる。一方、変調方式が低速であるほど、シンボルマッピング部１１７−１〜１１７−Ｍにより変調がなされた後のデータブロックのデータ量は大きくなる。【００４８】
シンボルマッピング部１１７−１〜１１７−Ｍにより上記変調方式にシンボルマッピングされた信号は、ＴＢ多重部１１８に出力される。
また、シンボルマッピング部１１７−１〜１１７−Ｍは、ＴＢ分割部１１２−１〜１１２−Ｍにより分割された複数のＴＢの全てに対して同じ変調方式で変調処理を施してよいし、一部のＴＢについて他とは異なる変調方式で変調処理を施すようにしてもよい。即ち、ＴＢ分割部１１２−１〜１１２−Ｍが分割したＴＢのうち少なくとも１つは、シンボルマッピング部１１７−１〜１１７−Ｍにより、他のＴＢのうちの少なくとも１つと異なる変調方式で変調処理が施されるようにしてもよい。これにより、他よりも高速の変調方式で変調された一部のＴＢについて、更に無線リソース使用量を低減することが可能なる。【００４９】
即ち、符号化部１１５−１〜１１５−Ｍ及びシンボルマッピング部１１７−１〜１１７−Ｍは、ＴＢ分割部により生成されたデータブロックを、適用する符号化方式及び変調方式に従って、該データブロック単位で符号化及び変調して送信データを生成する送信データ生成部の一例として機能する。
ＴＢ多重部１１８は、シンボルマッピング部１１７−１〜１１７−Ｍから出力された各ＵＥ２００宛の複数のＴＢを、１サブフレームに多重する。ＴＢ多重部１１８により多重化された信号は、多重部１１９に出力される。【００５０】
多重部１１９は、ＴＢ多重部１１８から出力された信号に対して、パイロット信号及び制御部１３２から出力された前述の報知情報，個別制御情報などを多重して、リソースマッピング部１２０に出力する。
リソースマッピング部１２０は、多重部１１９からの信号を、スケジューラ１１３により指定される（割り当てられる）無線リソース（サブキャリア周波数等）にマッピングする。【００５１】
ＩＦＦＴ部１２１は、リソースマッピング部１２０により送信変調信号がマッピングされた信号を、ＩＦＦＴ処理することにより時間領域の信号に変換する。
ＣＰ挿入部１２２は、ＩＦＦＴ部１２１により時間領域の信号に変換された信号に対して、送信シンボル毎にＣＰをガードインターバルとして挿入する。
無線送信部１２３は、上記ＣＰ挿入後の信号に対して、デジタル−アナログ〔Digital-to-Analog（ＤＡ）〕変換、所定の送信無線周波数〔Radio Frequency（ＲＦ）〕への周波数変換（アップコンバート）、送信電力制御等の所要の無線送信処理を施す。無線送信部１２３により所定の無線送信処理を施されたＲＦ信号は、送受信アンテナ１３４によりＵＥ２００に向けて空間に放射される。【００５２】
即ち、無線送信部１２３は、符号化部１１５−１〜１１５−Ｍ及びシンボルマッピング部１１７−１〜１１７−Ｍにより生成された送信データを所定の無線リソースを用いてＢＳ１００からＵＥ２００に送信する送信部の一例として機能する。
（１．２）ＵＥ２００
一方、ＵＥ２００は、図７に例示するように、送受信アンテナ２１８と、無線受信部２０１と、ＣＰ削除部２０２と、ＦＦＴ部２０３と、ＴＢ復調部２０４−１〜２０４−ｎと、ＴＢ復号部２０５−１〜２０５−ｎと、制御ＣＨ復調部２０６と、ＣＱＩ測定部２１７と、制御部２０７をそなえる。また、ＵＥ２００は、例示的に、データ処理部２０８と、制御情報多重部２０９と、シンボルマッピング部２１０と、多重部２１１と、ＦＦＴ部２１２と、周波数マッピング部２１３と、ＩＦＦＴ部２１４と、ＣＰ挿入部２１５と、無線送信部２１６とをそなえる。【００５３】
ここで、送受信アンテナ２１８は、ＢＳ１００との間でデータを送受信するインタフェースである。送受信アンテナ２１８は、無線送信部２１６から入力される信号をＢＳ１００に送信したり、ＢＳ１００から受信した無線信号を無線受信部２０１に出力する。
無線受信部２０１は、送受信アンテナ２１８により受信されたＤＬの信号をベースバンド信号に変換し、ＣＰ削除部２０２に出力する。【００５４】
即ち、無線受信部２０１は、上記ＢＳ１００からデータを受信する受信部の一例として機能する。
ＣＰ削除部２０２は、無線受信部２０１により変換されたベースバンド信号に含まれるＣＰを所定のタイミングで削除し、ＣＰ削除後の信号をＦＦＴ部２０３に出力する。
ＦＦＴ部２０３は、高速フーリエ変換により、ＣＰ削除部２０２から入力されたＣＰ削除後の信号を周波数領域の信号に変換する。ＦＦＴ部２０３により変換された信号は、ＴＢ復調部２０４−１〜２０４−ｎ，制御ＣＨ復調部２０６及びＣＱＩ測定部２１７に出力される。【００５５】
制御ＣＨ復調部２０６は、ＦＦＴ部２０３からの出力信号について、制御ＣＨを復調する。復調結果は、リソース割り当て情報として、ＴＢ復調部２０４−１〜２０４−ｎ及びＴＢ復号部２０５−１〜２０５−ｎに出力される。リソース割り当て情報には、例えば、ＴＢ数，各ＴＢの割り当てリソース情報，各ＴＢのＭＣＳ及び各ＴＢのＨＡＲＱプロセス番号などが含まれる。また、その他の制御情報は、制御部２０７や、その他の各処理部（図示省略）などに出力される。【００５６】
ＴＢ復調部２０４−１〜２０４−ｎは、制御ＣＨ復調部２０６からのリソース割り当て情報に基づいて、ＦＦＴ部２０３からの出力信号をＢＳ１００によりｎ分割されたＴＢ毎に復調する。例えば、ＴＢ復調部２０４−１〜２０４−ｎは、ＢＳ１００から受信したパイロット信号とパイロット信号のレプリカとの相関演算によりＢＳ１００とＵＥ２００との間のＤＬの伝播路歪みを推定する（つまり、チャネル推定値を求める）。そして、ＴＢ復調部２０４−１〜２０４−ｎは、当該チャネル推定値に基づいて、制御ＣＨやデータＣＨの信号の受けた歪みをそれぞれ補償（チャネル補償）して所要の復調処理を実施することができる。ＴＢ復調部２０４−１〜２０４−ｎにより復調された信号は、ＴＢ復号部２０５−１〜２０５−ｎにそれぞれ出力される。【００５７】
ＴＢ復号部２０５−１〜２０５−ｎは、制御ＣＨ復調部２０６からのリソース割り当て情報に基づいて、ＴＢ復調部２０４−１〜２０４−ｎからの出力信号をＢＳ１００によりｎ分割されたＴＢ毎に復号する。また、本例のＴＢ復号部２０５−１〜２０５−ｎは、上記分割されたＴＢ毎に誤り検出を行なう。
即ち、ＴＢ復号部２０５−１〜２０５−ｎは、ＤＬデータが正常に受信されたかどうかを上記分割されたＴＢ毎に判定する判定部の一例として機能する。【００５８】
ＣＱＩ測定部２１７は、受信信号のＣＱＩを測定し、その測定結果を制御部２０７に出力する。
制御部２０７は、ＴＢ復号部２０５−１〜２０５−ｎでの誤り検出結果に基づいて、正常に受信できなかったＴＢについて、ＢＳ１００に再送要求する。例えば、再送要求は、制御部２０７から制御情報多重部２０９に出力される個別制御情報に含まれる。【００５９】
即ち、制御部２０７は、ＴＢ復号部２０５−１〜２０５−ｎでの判定結果に応じて、上記分割されたＴＢ毎にＢＳ１００に再送要求する再送制御部の一例として機能する。
また、制御部２０７は、ＣＱＩ測定部２１７により測定されたＣＱＩを個別制御情報に含めて制御情報多重部２０９に出力することもできる。これにより、例えば、ＣＱＩは所定の頻度でＢＳ１００に報告（フィードバック）される。つまり、個別制御情報には、例えば、ＣＱＩ，ＡＣＫ／ＮＡＣＫ情報及びスケジュール要求などが含まれる。【００６０】
データ処理部２０８は、ＢＳ１００宛のＵＬデータを生成し、制御情報多重部２０９に出力する。例えば、データ処理部２０８は、ＢＳ１００から受信した信号について所定の処理を施した信号を、ＢＳ１００宛のＵＬデータとすることもできる。
制御情報多重部２０９は、データ処理部２０８からの出力に対して、制御部２０７からの個別制御情報などを多重して、シンボルマッピング部２１０に出力する。【００６１】
シンボルマッピング部２１０は、制御情報多重部２０９からの出力を、所定の変調方式（例えば、ＱＰＳＫや１６ＱＡＭ等）でシンボルマッピング（変調）して、多重部２１１に出力する。
多重部２１１は、シンボルマッピング部２１０から出力された信号に対して、パイロット信号などを多重して、ＦＦＴ部２１２に出力する。【００６２】
ＦＦＴ部２１２は、多重部２１１からの出力信号を、周波数領域の信号に変換して、周波数マッピング部２１３に出力する。
周波数マッピング部２１３は、ＦＦＴ部２１２からの信号を、制御部２０７により指定される（割り当てられる）周波数にマッピングする。周波数マッピング部２１３により周波数マッピングされた信号は、ＩＦＦＴ部２１４に出力される。【００６３】
ＩＦＦＴ部２１４は、周波数マッピング部２１３により送信変調信号がマッピングされた信号を、ＩＦＦＴ処理することにより時間領域の信号に変換して、ＣＰ挿入部２１５に出力する。
ＣＰ挿入部２１５は、ＩＦＦＴ部２１４により時間領域の信号に変換された信号に対して、送信シンボル毎にＣＰをガードインターバルとして挿入して、無線送信部２１６に出力する。【００６４】
無線送信部２１６は、上記ＣＰ挿入後の信号に対して、ＤＡ変換、所定のＲＦへの周波数変換（アップコンバート）、送信電力制御等の所要の無線送信処理を施す。無線送信部２１６により所定の無線送信処理を施されたＲＦ信号は、送受信アンテナ２１８によりＢＳ１００に向けて空間に放射される。
（１．３）無線通信システムの動作例
次に、本例の無線通信システムの動作例について説明する。【００６５】
まず、ＢＳ１００は、ＵＥ２００から報告されるＣＱＩ情報などに基づき、ＢＳ１００とＵＥ２００との間の伝播路品質のレベルが所定の閾値よりも低いかどうかを判定する。
ＢＳ１００は、伝播路品質のレベルが所定の閾値よりも低いと判定した場合、例えば、符号化率をＲ＝１／９とし、変調方式をＱＰＳＫに適応的に変更制御する。
さらに、ＢＳ１００は、図８（Ａ）に例示するように、符号化及び変調がなされた後のデータブロックのデータ量が前述の上限サイズ以内となるように、ＤＬデータを複数〔図８（Ａ）に示す例では４個〕のＴＢに分割（セグメント化）する。分割されたＴＢは、例えば、ＴＢ毎に、Ｒ＝１／９の符号化率で符号化されるとともにＱＰＳＫ方式で変調されて、無線リソースにマッピングされる。そして、各ＴＢは、ＢＳ１００からＵＥ２００に送信される。このとき、各ＴＢは、前記符号化率（Ｒ＝１／９）及び変調方式（ＱＰＳＫ方式）で符号化及び変調され、データ量が増加するが、図８に例示するように、そのデータ量は、上限サイズ以下となっている（図８のＱＰＳＫと付したブロックを参照）。【００６６】
一方、ＢＳ１００は、伝播路品質のレベルが所定の閾値よりも高いと判定した場合、例えば、符号化率をＲ＝３／４とし、変調方式を１６ＱＡＭに適応的に変更制御する。
さらに、ＢＳ１００は、図８（Ｂ）に例示するように、符号化及び変調がなされた後のデータブロックのデータ量が前述の上限サイズ以下となるように、ＤＬデータを複数〔図８（Ｂ）に示す例では２個〕のＴＢに分割（セグメント化）する。分割されたＴＢは、例えば、ＴＢ毎に、Ｒ＝３／４の符号化率で符号化されるとともに１６ＱＡＭ方式で変調されて、無線リソースにマッピングされる。そして、各ＴＢは、ＢＳ１００からＵＥ２００に送信される。【００６７】
このように、伝送路品質のレベルが低い場合はより低い符号化率、より低速の変調方式が適用されるため、ＤＬデータの送信データ量（無線リソースのサイズ）は大きくなり、多くのＴＢに分割される。一方、伝送路品質のレベルが高い場合には同じサイズのＤＬデータを伝送する場合でも、伝送路品質が低い場合と比較してＤＬデータの送信データ量は小さくなり、ＴＢへの分割数も少なくなる。【００６８】
ＢＳ１００からＴＢを受信したＵＥ２００は、図９に例示するように、まず、受信した制御チャネルを復調する（ステップＳ１０）。
次に、ＵＥ２００は、制御チャネルの復調結果に基づいて、自局２００宛のＴＢを抽出し、当該ＴＢについて復調処理を施す（ステップＳ１１）。
そして、ＵＥ２００は、自局２００宛の複数のＴＢ〔ＴＢ＃１〜ＴＢ＃ｎ（ｎは自然数）〕のそれぞれについて、誤り訂正復号処理を施し（ステップＳ１２）、誤りを検出する（ステップＳ１３）。【００６９】
ＵＥ２００は、受信したＴＢについて誤りを検出すると（ステップＳ１３のＹｅｓルート）、ＢＳ１００にＮＡＣＫ信号を送信する（ステップＳ１５）。一方、ＵＥ２００は、受信したＴＢについて誤りを検出しないと（ステップＳ１３のＮｏルート）、ＢＳ１００にＡＣＫ信号を送信する（ステップＳ１４）。
ＢＳ１００は、ＵＥ２００からＡＣＫ信号を受信すると、前回送信したＴＢが正常に受信処理されたと判断し、次の新規データをＵＥ２００に送信する。一方、ＢＳ１００は、ＵＥ２００からＮＡＣＫ信号を受信すると、前回送信したＴＢが正常に受信処理されなかったと判断し、当該ＮＡＣＫ信号のＨＡＲＱプロセス番号に対応するＴＢをＵＥ２００宛に再送する。【００７０】
ここで、本例の制御方法を用いれば、再送データに割り当てられる無線リソースのサイズ（再送単位）を、分割前のデータサイズや伝播路品質によらず、制御部１３２により決定された上限サイズ以内に収まるように制御することができる。
従って、無線リソースの割り当てサイズが大きいＤＬデータについては多くのＴＢに分割されるので〔例えば、図８（Ａ）参照〕、データの再送効率を向上することができる。一方、無線リソースの割り当てサイズが比較的小さいＤＬデータについてはＴＢへの分割数が抑制されるので〔例えば、図８（Ｂ）参照〕、分割処理に伴うオーバヘッドを低減することができ、データの処理効率を向上させることが可能となる。また、本例の制御方法を用いれば、分割後の各ＴＢに割り当てられる無線リソースのサイズのばらつきを小さくすることができるため、複数ユーザのスケジューリングにおける多重効率を向上させることが可能となる。【００７１】
（１．４）無線リソースの種類
ＴＢを送信するための無線リソースには、複数の種類がある。以下では、無線リソースの種類に応じた上記無線通信システムの動作例について説明する。
（１．４．１）無線リソースが周波数帯域からなる場合
ＢＳ１００は、周波数帯域からなる無線リソースをＴＢ送信用のデータＣＨに割り当てて、データをＵＥ２００に送信することができる。【００７２】
この場合、ＢＳ１００は、図１０に例示するように、符号化及び変調がなされた後のデータブロックのデータ量〔ＴＢに割り当てられるサブバンド（ＲＢ）のサイズ〕が前述の上限サイズ（上限サブバンド）以下となるように、ＤＬデータを複数（図１０に示す例では４個）のＴＢに分割（セグメント化）する。なお、上限サイズは、ドップラー周波数／遅延分散測定部１２９により測定される、ＢＳ１００とＵＥ２００との間の伝播路の遅延分散値に応じて定まるようにしてもよい。【００７３】
ＴＢ分割部１１２−１〜１１２−Ｍにより分割されたＴＢは、例えば、制御部１３２により伝播路品質に応じて決定される符号化率及び変調方式で、ＢＳ１００により符号化及び変調されて上記の周波数帯域にマッピングされ、ＵＥ２００に送信される。
ここで、本例のＢＳ１００の動作の一例を図１１に示す。
図１１に示すように、まず、ＴＢ分割制御部１３３が、分割前のＤＬデータを制御部１３２により決定された符号化率及び変調方式で符号化及び変調した場合に割り当てられるＲＢ数を算出する（ステップＳ２０）。【００７４】
次に、ＴＢ分割制御部１３３が、上記算出したＲＢ数が所定の閾値より大きいかどうかを判定する（ステップＳ２１）。なお、この閾値は、前述のように、ＢＳ１００とＵＥ２００との間の伝播路の遅延分散値に応じて定まるようにしてもよい。例えば、遅延分散値が小さい場合には閾値を大きくし、遅延分散値が大きい場合には閾値を小さくすることができる。【００７５】
上記算出したＲＢ数が所定の閾値以下であると判定された場合（ステップＳ２１のＮｏルート）、ＴＢ分割制御部１３３は、ＤＬデータの分割は行なわず、１個のＴＢにＤＬデータを割り当てる（ステップＳ２２）。一方、算出したＲＢ数が所定の閾値より大きいと判定された場合（ステップＳ２１のＹｅｓルート）、ＴＢ分割制御部１３３は、ＤＬデータを複数のＴＢに分割する。このとき、ＤＬデータのＴＢへの分割数ｎは、次式（１）により決定される（ステップＳ２３）。【００７６】
ｎ＝ｍｉｎ（［算出ＲＢ数÷閾値］，ｎｍａｘ）・・・（１）
ここで、ｎｍａｘは、分割数ｎの上限である。上限分割数ｎｍａｘは、ＤＬデータのＴＢへの分割数（ＴＢ数）が大きくなり過ぎないように、ＢＳ１００により設定される場合がある。この場合、例えば、ＢＳ１００は、ＤＬデータの分割数ｎを、上限分割数ｎｍａｘを超えない範囲で閾値に最も近い値とすることにより、分割処理に伴うオーバヘッドを抑制しつつ、データ再送効率を向上させることが可能となる。【００７７】
そして、ＢＳ１００は、上記の式（１）により決定された分割数ｎでＤＬデータをｎ個のＴＢに分割し、各ＴＢにそれぞれＲＢを割り当てて（ステップＳ２４）、ＵＥ２００にＴＢを送信する。
上記動作をＢＳ１００の機能レイヤ毎にみると、例えば、ＢＳ１００のＲＬＣが、下位レイヤ（ＭＡＣレイヤ）から割り当て可能な無線リソース情報（伝送可能なＴＢサイズ，伝送するサブフレーム及びこのサブフレームにおける割り当て可能なＲＢ数）を通知される。さらに、ＲＬＣは、ＭＡＣレイヤから通知されたＲＢ数が所定の閾値を超える場合は、割り当てＲＢ数が前記閾値内に収まるように、複数のＴＢを生成し、これらのＴＢをＭＡＣレイヤに渡す。【００７８】
また、ＢＳ１００のＭＡＣレイヤは、例えば、各ユーザに予め与えられる優先度等に応じてＴＢのスケジューリングを行ない、各ＴＢをいずれの物理チャネルリソースに割り当てるかを決定する。
また、ＢＳ１００の物理レイヤは、ＴＢ毎にＣＲＣの付加、誤り訂正符号化、レートマッチング、スクランブリング、シンボルマッピングなどを行ない、ＤＬスケジューリング情報に基づいて物理チャネルへのマッピングを行なう。なお、ＢＳ１００は、ＲＬＣで分割された複数のＴＢを１つのサブフレームで伝送してもよく、また、ＴＢ毎に異なるＭＣＳを適用して伝送してもよい。【００７９】
一方、ＢＳ１００からＤＬ信号を受信したＵＥ２００は、図９に例示したように、ＢＳ１００から受信したＴＢ毎に誤り訂正復号、誤り検出を行ない、誤り検出結果を制御情報（ＡＣＫ／ＮＡＣＫ情報）としてＢＳ１００へ報告（フィードバック）する。
ＵＥ２００からＡＣＫ／ＮＡＣＫ情報を報告されたＢＳ１００は、当該ＡＣＫ／ＮＡＣＫ情報に基づいて、ＵＥ２００にて正常に受信されなかったＴＢについて、ＨＡＲＱによる再送制御を行なう。【００８０】
（１．４．２）無線リソースが時間長からなる場合
また、ＢＳ１００は、時間長からなる無線リソースをＴＢ送信用のデータＣＨに割り当てて、データをＵＥ２００に送信することができる。
この場合、ＢＳ１００は、図１２に例示するように、符号化及び変調がなされた後のデータブロックのデータ量〔ＴＢに割り当てられる時間長（サブフレーム）のサイズ〕が前述の上限サイズ（上限サブフレーム）以下となるように、ＤＬデータを複数（図１２に示す例では４個）のＴＢに分割（セグメント化）する。なお、上限サイズは、ドップラー周波数／遅延分散測定部１２９により測定される、ＢＳ１００とＵＥ２００との間の伝播路のドップラー周波数に応じて定まるようにしてもよい。【００８１】
ＴＢ分割部１１２−１〜１１２−Ｍにより分割されたＴＢは、例えば、制御部１３２により伝播路品質に応じて決定される符号化率及び変調方式で、ＢＳ１００により符号化及び変調されて上記のサブフレームにマッピングされ、ＵＥ２００に送信される。
ここで、本例のＢＳ１００の動作の一例を図１３に示す。
図１３に示すように、まず、ＴＢ分割制御部１３３が、分割前のＤＬデータを制御部１３２により決定された符号化率及び変調方式で符号化及び変調した場合に割り当てられるサブフレーム数を算出する（ステップＳ３０）。【００８２】
次に、ＴＢ分割制御部１３３が、上記算出したサブフレーム数が所定の閾値より大きいかどうかを判定する（ステップＳ３１）。なお、この閾値は、前述のように、ＢＳ１００とＵＥ２００との間の伝播路のドップラー周波数に応じて定まるようにしてもよい。例えば、ドップラー周波数が小さい場合には閾値を大きくし、ドップラー周波数が大きい場合には閾値を小さくすることができる。【００８３】
上記算出したサブフレーム数が所定の閾値以下であると判定された場合（ステップＳ３１のＮｏルート）、ＴＢ分割制御部１３３は、ＤＬデータの分割は行なわず、１個のＴＢにＤＬデータを割り当てる（ステップＳ３２）。一方、算出したサブフレーム数が所定の閾値より大きいと判定された場合（ステップＳ３１のＹｅｓルート）、ＴＢ分割制御部１３３は、ＤＬデータを複数のＴＢに分割する。このとき、ＤＬデータのＴＢへの分割数ｎは、次式（２）により決定される（ステップＳ３３）。【００８４】
ｎ＝ｍｉｎ（［算出サブフレーム数÷閾値］，ｎｍａｘ）・・・（２）
そして、ＢＳ１００は、上記の式（２）により決定された分割数ｎでＤＬデータをｎ個のＴＢに分割し、各ＴＢにそれぞれサブフレームを割り当てて（ステップＳ３４）、ＵＥ２００にＴＢを送信する。
上記動作をＢＳ１００の機能レイヤ毎にみると、例えば、ＢＳ１００のＲＬＣが、下位レイヤ（ＭＡＣレイヤ）から割り当て可能な無線リソース情報（伝送可能なＴＢサイズ及び伝送するサブフレーム数）を通知される。さらに、ＲＬＣは、ＭＡＣレイヤから通知されたＲＢ数が所定の閾値を超える場合は、割り当てＲＢ数が前記閾値内に収まるように、複数のＴＢを生成し、これらのＴＢをＭＡＣレイヤに渡す。【００８５】
また、ＢＳ１００のＭＡＣレイヤは、例えば、各ユーザに予め与えられる優先度等に応じてＴＢのスケジューリングを行ない、各ＴＢをいずれの物理チャネルリソースに割り当てるかを決定する。
また、ＢＳ１００の物理レイヤは、ＴＢ毎にＣＲＣの付加、誤り訂正符号化、レートマッチング、スクランブリング、シンボルマッピングなどを行ない、ＤＬスケジューリング情報に基づいて物理チャネルへのマッピングを行なう。なお、ＢＳ１００は、ＲＬＣで分割された複数のＴＢを１つのサブフレームで伝送してもよく、また、ＴＢ毎に異なるＭＣＳを適用して伝送してもよい。【００８６】
一方、ＢＳ１００からＤＬ信号を受信したＵＥ２００は、図９に例示したように、ＢＳ１００から受信したＴＢ毎に誤り訂正復号、誤り検出を行ない、誤り検出結果を制御情報（ＡＣＫ／ＮＡＣＫ情報）としてＢＳ１００へ報告（フィードバック）する。
ＵＥ２００からＡＣＫ／ＮＡＣＫ情報を報告されたＢＳ１００は、当該ＡＣＫ／ＮＡＣＫ情報に基づいて、ＵＥ２００にて正常に受信されなかったＴＢについて、ＨＡＲＱによる再送制御を行なう。【００８７】
（１．４．３）無線リソースが周波数帯域と時間長との積で規定される領域からなる場合
また、ＢＳ１００は、周波数方向のリソース（ＲＢ）と時間方向のリソース（サブフレーム）との積で規定される領域からなる無線リソースをＴＢ送信用のデータＣＨに割り当てて、データをＵＥ２００に送信することができる。【００８８】
この場合、ＢＳ１００は、図１４に例示するように、符号化及び変調がなされた後のデータブロックのデータ量（ＴＢに割り当てられる、周波数×時間で規定される領域からなる無線リソースのサイズ）が前述の上限サイズ以下となるように、ＤＬデータを複数（図１４に示す例では４個）のＴＢに分割（セグメント化）する。なお、上限サイズは、ドップラー周波数／遅延分散測定部１２９により測定される、ＢＳ１００とＵＥ２００との間の伝播路の遅延分散値とドップラー周波数との積に応じて定まるようにしてもよい。【００８９】
ＴＢ分割部１１２−１〜１１２−Ｍにより分割されたＴＢは、例えば、制御部１３２により伝播路品質に応じて決定される符号化率及び変調方式で、ＢＳ１００により符号化及び変調されて上記の無線リソース（周波数×時間で規定される領域）にマッピングされ、ＵＥ２００に送信される。
ここで、本例のＢＳ１００の動作の一例を図１５に示す。【００９０】
図１５に示すように、まず、ＴＢ分割制御部１３３が、分割前のＤＬデータを制御部１３２により決定された符号化率及び変調方式で符号化及び変調した場合に割り当てられる無線リソース（周波数×時間）のサイズを算出する（ステップＳ４０）。
次に、ＴＢ分割制御部１３３が、上記算出した無線リソースサイズが所定の閾値より大きいかどうかを判定する（ステップＳ４１）。なお、この閾値は、前述のように、ＢＳ１００とＵＥ２００との間の伝播路の遅延分散値とドップラー周波数との積に応じて定まるようにしてもよい。例えば、遅延分散値とドップラー周波数との積が小さい場合には閾値を大きくし、遅延分散値とドップラー周波数との積が大きい場合には閾値を小さくすることができる。【００９１】
上記算出した無線リソースサイズが所定の閾値以下であると判定された場合（ステップＳ４１のＮｏルート）、ＴＢ分割制御部１３３は、ＤＬデータの分割は行なわず、１個のＴＢにＤＬデータを割り当てる（ステップＳ４２）。一方、算出した無線リソースサイズが所定の閾値より大きいと判定された場合（ステップＳ４１のＹｅｓルート）、ＴＢ分割制御部１３３は、ＤＬデータを複数のＴＢに分割する。このとき、ＤＬデータのＴＢへの分割数ｎは、次式（３）により決定される（ステップＳ４３）。【００９２】
ｎ＝ｍｉｎ（［算出無線リソースサイズ÷閾値］，ｎｍａｘ）・・・（３）
そして、ＢＳ１００は、上記の式（３）により決定された分割数ｎでＤＬデータをｎ個のＴＢに分割し、各ＴＢにそれぞれ周波数帯域と時間長との席からなる無線リソースを割り当てて（ステップＳ４４）、ＵＥ２００にＴＢを送信する。
上記動作をＢＳ１００の機能レイヤ毎にみると、例えば、ＢＳ１００のＲＬＣが、下位レイヤ（ＭＡＣレイヤ）から割り当て可能な無線リソース情報（伝送可能なＴＢサイズ，伝送するサブフレーム及び各サブフレームにおける割り当て可能なＲＢ数）を通知される。さらに、ＲＬＣは、ＭＡＣレイヤから通知されたＲＢ数が所定の閾値を超える場合は、割り当てＲＢ数が前記閾値内に収まるように、複数のＴＢを生成し、これらのＴＢをＭＡＣレイヤに渡す。【００９３】
また、ＢＳ１００のＭＡＣレイヤは、例えば、各ユーザに予め与えられる優先度等に応じてＴＢのスケジューリングを行ない、各ＴＢをいずれの物理チャネルリソースに割り当てるかを決定する。
また、ＢＳ１００の物理レイヤは、ＴＢ毎にＣＲＣの付加、誤り訂正符号化、レートマッチング、スクランブリング、シンボルマッピングなどを行ない、ＤＬスケジューリング情報に基づいて物理チャネルへのマッピングを行なう。なお、ＢＳ１００は、ＲＬＣで分割された複数のＴＢを１つのサブフレームで伝送してもよく、また、ＴＢ毎に異なるＭＣＳを適用して伝送してもよい。【００９４】
一方、ＢＳ１００からＤＬ信号を受信したＵＥ２００は、図９に例示したように、ＢＳ１００から受信したＴＢ毎に誤り訂正復号、誤り検出を行ない、誤り検出結果を制御情報（ＡＣＫ／ＮＡＣＫ情報）としてＢＳ１００へ報告（フィードバック）する。
ＵＥ２００からＡＣＫ／ＮＡＣＫ情報を報告されたＢＳ１００は、当該ＡＣＫ／ＮＡＣＫ情報に基づいて、ＵＥ２００にて正常に受信されなかったＴＢについて、ＨＡＲＱによる再送制御を行なう。【００９５】
（１．４．４）無線リソースが拡散符号数または送信電力からなる場合
また、ＢＳ１００は、符号分割多重化方式〔例えば、Code Division Multiple Access（ＣＤＭＡ）〕を用いてデータを送信するようにしてもよい。このとき、ＢＳ１００は、ＴＢに割り当てられる拡散符号の数（またはＴＢの送信電力）からなる無線リソースをＴＢ送信用のデータＣＨに割り当てて、データをＵＥ２００に送信することができる。【００９６】
この場合、ＢＳ１００は、図１６に例示するように、符号化及び変調がなされた後のデータブロックのデータ量〔ＴＢに割り当てられる符号多重数（または送信電力）〕が前述の上限サイズ以下となるように、ＤＬデータを複数（図１６に示す例では４個）のＴＢに分割（セグメント化）する。ＴＢ分割部１１２−１〜１１２−Ｍにより分割されたＴＢは、例えば、制御部１３２により伝播路品質に応じて決定される符号化率及び変調方式で、ＢＳ１００により符号化及び変調されて上記の拡散符号にマッピングされ、ＵＥ２００に送信される。【００９７】
ここで、本例のＢＳ１００の動作の一例を図１７に示す。
図１７に示すように、まず、ＴＢ分割制御部１３３が、分割前のＤＬデータを制御部１３２により決定された符号化率及び変調方式で符号化及び変調した場合に割り当てられる無線リソース（拡散符号数または送信電力）のサイズを算出する（ステップＳ５０）。
次に、ＴＢ分割制御部１３３が、上記算出した無線リソースサイズが所定の閾値より大きいかどうかを判定する（ステップＳ５１）。【００９８】
上記算出した無線リソースサイズが所定の閾値以下であると判定された場合（ステップＳ５１のＮｏルート）、ＴＢ分割制御部１３３は、ＤＬデータの分割は行なわず、１個のＴＢにＤＬデータを割り当てる（ステップＳ５２）。一方、算出した無線リソースサイズが所定の閾値より大きいと判定された場合（ステップＳ５１のＹｅｓルート）、ＴＢ分割制御部１３３は、ＤＬデータを複数のＴＢに分割する。このとき、ＤＬデータのＴＢへの分割数ｎは、次式（４）により決定される（ステップＳ５３）。【００９９】
ｎ＝ｍｉｎ（［算出無線リソースサイズ÷閾値］，ｎｍａｘ）・・・（４）
そして、ＢＳ１００は、上記の式（４）により決定された分割数ｎでＤＬデータをｎ個のＴＢに分割し、各ＴＢにそれぞれ拡散符号の数（またはＴＢの送信電力）からなる無線リソースを割り当てて（ステップＳ５４）、ＵＥ２００にＴＢを送信する。
上記動作をＢＳ１００の機能レイヤ毎にみると、例えば、ＢＳ１００のＲＬＣが、下位レイヤ（ＭＡＣレイヤ）から割り当て可能な無線リソース情報（伝送可能なＴＢサイズ，伝送するサブフレーム，各サブフレームにおける割り当て可能なＲＢ数及び送信電力）を通知される。さらに、ＲＬＣは、ＭＡＣレイヤから通知されたＲＢ数が所定の閾値を超える場合は、割り当てＲＢ数が前記閾値内に収まるように、複数のＴＢを生成し、これらのＴＢをＭＡＣレイヤに渡す。【０１００】
また、ＢＳ１００のＭＡＣレイヤは、例えば、各ユーザに予め与えられる優先度等に応じてＴＢのスケジューリングを行ない、各ＴＢをいずれの物理チャネルリソースに割り当てるかを決定する。
また、ＢＳ１００の物理レイヤは、ＴＢ毎にＣＲＣの付加、誤り訂正符号化、レートマッチング、スクランブリング、シンボルマッピングなどを行ない、ＤＬスケジューリング情報に基づいて物理チャネルへのマッピングを行なう。なお、ＢＳ１００は、ＲＬＣで分割された複数のＴＢを１つのサブフレームで伝送してもよく、また、ＴＢ毎に異なるＭＣＳを適用して伝送してもよい。【０１０１】
一方、ＢＳ１００からＤＬ信号を受信したＵＥ２００は、図９に例示したように、ＢＳ１００から受信したＴＢ毎に誤り訂正復号、誤り検出を行ない、誤り検出結果を制御情報（ＡＣＫ／ＮＡＣＫ情報）としてＢＳ１００へ報告（フィードバック）する。
ＵＥ２００からＡＣＫ／ＮＡＣＫ情報を報告されたＢＳ１００は、当該ＡＣＫ／ＮＡＣＫ情報に基づいて、ＵＥ２００にて正常に受信されなかったＴＢについて、ＨＡＲＱによる再送制御を行なう。【０１０２】
以上のように、本例の制御方法を用いれば、再送データに割り当てられる無線リソースのサイズ（再送単位）を、分割前のデータサイズや伝播路品質によらず、所定の上限サイズ以内に収まるように制御することができる。
従って、無線リソースの割り当てサイズが大きいＤＬデータについては多くのＴＢに分割されるので、データの再送効率を向上することができる。一方、無線リソースの割り当てサイズが比較的小さいＤＬデータについてはＴＢへの分割数が抑制されるので、分割処理に伴うオーバヘッドを低減することができ、データの処理効率を向上させることが可能となる。【０１０３】
また、本例の制御方法を用いれば、分割後の各ＴＢに割り当てられる無線リソースのサイズのばらつきを小さくすることができるので、複数ユーザのスケジューリングにおける多重効率を向上させることが可能となる。
〔２〕その他
上述したＢＳ１００及びＵＥ２００の各構成及び各機能は、必要に応じて取捨選択してもよいし、適宜組み合わせてもよい。【０１０４】
例えば、上述した無線通信システムでは、ＢＳ１００が送信装置の一例として機能し、ＵＥ２００が受信装置の一例として機能する例について説明したが、ＵＥ２００が送信装置の一例として機能し、ＢＳ１００が受信装置の一例として機能するようにしてもよい。また、ＢＳ１００及びＵＥ２００が、それぞれ、送信装置及び受信装置としての機能をそなえていてもよい。【０１０５】
また、上述した例では、無線リソースの一例として、周波数帯域，時間長，周波数帯域と時間長との積及び拡散符号数（送信電力）を挙げて説明したが、無線リソースの種類はこれらに限定されるものではない。
さらに、上述したＢＳ１００及びＵＥ２００が具備する各構成及び各機能は、必要に応じて他のエンティティに設けるようにしてもよい。
【産業上の利用可能性】
【０１０６】
以上詳述したように、本発明によれば、ＴＢに割り当てられる無線リソースサイズに応じて、ＤＬデータのＴＢへの分割数を制御することにより、無線通信システムのデータ処理効率を向上させることができるので、無線通信技術分野に極めて有用と考えられる。
【図１】
2010116453.tif 000003
【図２】
2010116453.tif 000004
【図３】
2010116453.tif 000005
【図４】
2010116453.tif 000006
【図５】
2010116453.tif 000007
【図６】
2010116453.tif 000008
【図７】
2010116453.tif 000009
【図８】
2010116453.tif 000010
【図９】
2010116453.tif 000011
【図１０】
2010116453.tif 000012
【図１１】
2010116453.tif 000013
【図１２】
2010116453.tif 000014
【図１３】
2010116453.tif 000015
【図１４】
2010116453.tif 000016
【図１５】
2010116453.tif 000017
【図１６】
2010116453.tif 000018
【図１７】
2010116453.tif 000019
【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
受信装置宛のデータを無線送信する送信装置における制御方法において、
前記受信装置宛のデータに基づいて、データブロックの生成を行ない、
生成された該データブロックを、適用する符号化方式及び変調方式に従って、該データブロック単位で符号化及び変調して送信データを生成し、
該送信データを所定の無線リソースを用いて前記送信装置から前記受信装置に送信することを含み、
前記データブロックの生成は、前記符号化及び変調がなされた後のデータブロックのデータ量が、前記符号化方式及び変調方式の適用により前記所定の無線リソースを用いて送信可能な最大のデータ量以下となるように、前記受信装置宛のデータを分割して、データブロック１つ当たりのサイズを調整することを含む、
ことを特徴とする、送信装置における制御方法。
【請求項２】
前記符号化及び変調がなされた後のデータブロックのデータ量は、少なくとも前記符号化の符号化率または前記変調の変調方式に応じて定まる、
ことを特徴とする、請求項１記載の送信装置における制御方法。
【請求項３】
少なくとも前記符号化率または前記変調方式は、前記送信装置と前記受信装置との間の伝播路の通信品質に応じて定まる、
ことを特徴とする、請求項２記載の送信装置における制御方法。
【請求項４】
前記無線リソースは周波数帯域からなる、
ことを特徴とする、請求項１〜３のいずれか１項に記載の送信装置における制御方法。
【請求項５】
前記所定の無線リソースを用いて送信可能な最大のデータ量は、前記送信装置と前記受信装置との間の伝播路の遅延分散値に応じて定まる、
ことを特徴とする、請求項４記載の送信装置における制御方法。
【請求項６】
前記送信装置は、
前記データブロックを前記受信装置宛のデータの再送単位として、該送信データを前記受信装置に再送する、
ことを特徴とする、請求項１〜５のいずれか１項に記載の送信装置における制御方法。
【請求項７】
受信装置宛のデータを無線送信する送信装置であって、
前記受信装置宛のデータに基づいて、データブロックの生成を行なうデータブロック生成部と、
前記データブロック生成部により生成された該データブロックを、適用する符号化方式及び変調方式に従って、該データブロック単位で符号化及び変調して送信データを生成する送信データ生成部と、
該送信データ生成部により生成された該送信データを所定の無線リソースを用いて前記送信装置から前記受信装置に送信する送信部とをそなえ、
前記データブロック生成部は、前記符号化及び変調がなされた後のデータブロックのデータ量が、前記符号化方式及び変調方式の適用により前記所定の無線リソースを用いて送信可能な最大のデータ量以下となるように、前記受信装置宛のデータを分割して、データブロック１つ当たりのサイズを調整する、
ことを特徴とする、送信装置。
【請求項８】
前記送信部は、
前記データブロックを前記受信装置宛のデータの再送単位として、該送信データを前記受信装置に再送する、
ことを特徴とする、請求項７記載の送信装置。
【請求項９】
送信装置からのデータを無線受信する受信装置であって、
符号化及び変調がなされた後のデータブロックのデータ量が、前記符号化及び変調の符号化方式及び変調方式の適用により所定の無線リソースを用いて送信可能な最大のデータ量以下となるように、前記データを分割することにより、データブロック１つ当たりのサイズを調整して前記データを送信する送信装置から前記データを受信する受信部と、
前記データが正常に受信されたかどうかを前記分割されたデータ毎に判定する判定部と、
前記判定部での判定結果に応じて、前記分割されたデータ毎に前記送信装置に再送要求する再送制御部と、
をそなえたことを特徴とする、受信装置。
【請求項１０】
受信装置と、前記受信装置宛のデータを無線送信する送信装置とを有する通信システムであって、
前記受信装置宛のデータに基づいて、データブロックの生成を行なうデータブロック生成部と、
前記データブロック生成部により生成された該データブロックを、適用する符号化方式及び変調方式に従って、該データブロック単位で符号化及び変調して送信データを生成する送信データ生成部と、
該送信データ生成部により生成された該送信データを所定の無線リソースを用いて前記送信装置から前記受信装置に送信する送信部とをそなえ、
前記データブロック生成部は、前記符号化及び変調がなされた後のデータブロックのデータ量が、前記符号化方式及び変調方式の適用により前記所定の無線リソースを用いて送信可能な最大のデータ量以下となるように、前記受信装置宛のデータを分割して、データブロック１つ当たりのサイズを調整する、
ことを特徴とする、通信システム。
【手続補正２】
【補正対象書類名】明細書
【補正対象項目名】０１０５
【補正方法】変更
【補正の内容】
【０１０５】
また、上述した例では、無線リソースの一例として、周波数帯域，時間長，周波数帯域と時間長との積及び拡散符号数（送信電力）を挙げて説明したが、無線リソースの種類はこれらに限定されるものではない。
さらに、上述したＢＳ１００及びＵＥ２００が具備する各構成及び各機能は、必要に応じて他のエンティティに設けるようにしてもよい。
以上の実施形態に関し、さらに以下の付記を開示する。
〔３〕付記
（付記１）
受信装置宛のデータを無線送信する送信装置における制御方法において、
前記受信装置宛のデータに基づいて、データブロックの生成を行ない、
生成された該データブロックを、適用する符号化方式及び変調方式に従って、該データブロック単位で符号化及び変調して送信データを生成し、
該送信データを所定の無線リソースを用いて前記送信装置から前記受信装置に送信することを含み、
前記データブロックの生成は、前記符号化及び変調がなされた後のデータブロックのデータ量が、前記符号化方式及び変調方式の適用により前記所定の無線リソースを用いて送信可能な最大のデータ量以下となるように、前記受信装置宛のデータを分割して、データブロック１つ当たりのサイズを調整することを含む、
ことを特徴とする、送信装置における制御方法。
（付記２）
前記符号化及び変調がなされた後のデータブロックのデータ量は、少なくとも前記符号化の符号化率または前記変調の変調方式に応じて定まる、
ことを特徴とする、付記１記載の送信装置における制御方法。
（付記３）
少なくとも前記符号化率または前記変調方式は、前記送信装置と前記受信装置との間の伝播路の通信品質に応じて定まる、
ことを特徴とする、付記２記載の送信装置における制御方法。
（付記４）
前記無線リソースは周波数帯域からなる、
ことを特徴とする、付記１〜３のいずれか１項に記載の送信装置における制御方法。
（付記５）
前記所定の無線リソースを用いて送信可能な最大のデータ量は、前記送信装置と前記受信装置との間の伝播路の遅延分散値に応じて定まる、
ことを特徴とする、付記４記載の送信装置における制御方法。
（付記６）
前記無線リソースは時間長からなる、
ことを特徴とする、付記１〜３のいずれか１項に記載の送信装置における制御方法。
（付記７）
前記所定の無線リソースを用いて送信可能な最大のデータ量は、前記送信装置と前記受信装置との間の伝播路のドップラー周波数に応じて定まる、
ことを特徴とする、付記６記載の送信装置における制御方法。
（付記８）
前記無線リソースは周波数帯域と時間長との積からなる、
ことを特徴とする、付記１〜３のいずれか１項に記載の送信装置における制御方法。
（付記９）
前記所定の無線リソースを用いて送信可能な最大のデータ量は、前記送信装置と前記受信装置との間の伝播路の遅延分散値とドップラー周波数との積に応じて定まる、
ことを特徴とする、付記８記載の送信装置における制御方法。
（付記１０）
前記無線リソースは、前記データに割り当てられる拡散符号の数、または、前記データの送信電力からなる、
ことを特徴とする、付記１〜３のいずれか１項に記載の送信装置における制御方法。
（付記１１）
前記送信装置は、
前記データブロックを前記受信装置宛のデータの再送単位として、該送信データを前記受信装置に再送する、
ことを特徴とする、付記１〜１０のいずれか１項に記載の送信装置における制御方法。
（付記１２）
前記送信装置は、
前記データブロックをさらに複数のサブブロックに分割し、
前記サブブロックを前記受信装置宛のデータの再送単位として、該送信データを前記受信装置に再送する、
ことを特徴とする、付記１〜１０のいずれか１項に記載の送信装置における制御方法。
（付記１３）
前記データブロックのうち少なくとも１つは、他のデータブロックのうちの少なくとも１つと異なる符号化率または変調方式で符号化または変調される、
ことを特徴とする、付記１〜１２のいずれか１項に記載の送信装置における制御方法。
（付記１４）
前記所定の無線リソースを用いて送信可能な最大のデータ量は、前記データの分割数が所定の閾値以下となるようなサイズである、
ことを特徴とする、付記１記載の送信装置における制御方法。
（付記１５）
受信装置宛のデータを無線送信する送信装置であって、
前記受信装置宛のデータに基づいて、データブロックの生成を行なうデータブロック生成部と、
前記データブロック生成部により生成された該データブロックを、適用する符号化方式及び変調方式に従って、該データブロック単位で符号化及び変調して送信データを生成する送信データ生成部と、
該送信データ生成部により生成された該送信データを所定の無線リソースを用いて前記送信装置から前記受信装置に送信する送信部とをそなえ、
前記データブロック生成部は、前記符号化及び変調がなされた後のデータブロックのデータ量が、前記符号化方式及び変調方式の適用により前記所定の無線リソースを用いて送信可能な最大のデータ量以下となるように、前記受信装置宛のデータを分割して、データブロック１つ当たりのサイズを調整する、
ことを特徴とする、送信装置。
（付記１６）
前記送信部は、
前記データブロックを前記受信装置宛のデータの再送単位として、該送信データを前記受信装置に再送する、
ことを特徴とする、付記１５記載の送信装置。
（付記１７）
送信装置からのデータを無線受信する受信装置であって、
符号化及び変調がなされた後のデータブロックのデータ量が、前記符号化及び変調の符号化方式及び変調方式の適用により所定の無線リソースを用いて送信可能な最大のデータ量以下となるように、前記データを分割することにより、データブロック１つ当たりのサイズを調整して前記データを送信する送信装置から前記データを受信する受信部と、
前記データが正常に受信されたかどうかを前記分割されたデータ毎に判定する判定部と、
前記判定部での判定結果に応じて、前記分割されたデータ毎に前記送信装置に再送要求する再送制御部と、
をそなえたことを特徴とする、受信装置。
（付記１８）
受信装置と、前記受信装置宛のデータを無線送信する送信装置とを有する通信システムであって、
前記受信装置宛のデータに基づいて、データブロックの生成を行なうデータブロック生成部と、
前記データブロック生成部により生成された該データブロックを、適用する符号化方式及び変調方式に従って、該データブロック単位で符号化及び変調して送信データを生成する送信データ生成部と、
該送信データ生成部により生成された該送信データを所定の無線リソースを用いて前記送信装置から前記受信装置に送信する送信部とをそなえ、
前記データブロック生成部は、前記符号化及び変調がなされた後のデータブロックのデータ量が、前記符号化方式及び変調方式の適用により前記所定の無線リソースを用いて送信可能な最大のデータ量以下となるように、前記受信装置宛のデータを分割して、データブロック１つ当たりのサイズを調整する、
ことを特徴とする、通信システム。
【国際調査報告】
2010116453.tif 000020
2010116453.tif 000021
2010116453.tif 000022
2010116453.tif 000023